(57)【要約】【課題】防犯性能と防火性能を両立することができる建具を提供する。【解決手段】建具１０は、少なくとも室外側面材２８及び室内側面材３０を有する複層面材１４と、複層面材１４の外周縁部を保持する上枠１２ａ、下枠１２ｂ及び左右の縦枠１２ｃ，１２ｄを有する開口枠１２と、を備える。複層面材１４は、室外側面材２８及び室内側面材３０のうち、一方の面材は２枚のガラス板３０ａ，３０ｂの間に樹脂膜３０ｃを挟んだ合わせガラスで構成され、他方の面材は樹脂膜を持たない面材で構成されている。上枠１２ａ、下枠１２ｂ及び左右の縦枠１２ｃ，１２ｄのそれぞれは、複層面材１４の外周縁部を保持する面材保持部２４と、樹脂膜３０ｃの外周端面３０ｄに対向した状態で面材保持部２４の枠内側見込み面２２に設けられ、加熱された場合に膨張する熱膨張性部材３４と、を有する。【選択図】図４
2020117878.tif 000002
【特許請求の範囲】
【請求項１】
少なくとも第１の面材、及び該第１の面材よりも室内側に配置された第２の面材を有する複層面材と、該複層面材の外周縁部を保持する上枠、下枠及び左右の縦枠を有する枠体と、を備える建具であって、
前記複層面材は、前記第１の面材及び前記第２の面材のうち、一方の面材は２枚のガラス板の間に樹脂膜を挟んだ合わせガラスで構成され、他方の面材は樹脂膜を持たない面材で構成されており、
前記上枠、前記下枠及び前記左右の縦枠のそれぞれは、前記複層面材の外周縁部を保持する面材保持部と、前記樹脂膜の外周端面に対向した状態で前記面材保持部の見込み面に設けられ、加熱された場合に膨張する第１の熱膨張性部材と、を有することを特徴とする建具。
【請求項２】
請求項１に記載の建具であって、
前記下枠は、前記面材保持部の前記見込み面における前記樹脂膜の外周端面と対向しない位置に、孔部を有することを特徴とする建具。
【請求項３】
請求項２に記載の建具であって、
前記第１の面材は、網入りガラス又は耐熱ガラスで構成され、
前記第２の面材は、前記合わせガラスで構成され、
前記孔部は、前記第１の熱膨張性部材よりも室外側に配置されていることを特徴とする建具。
【請求項４】
請求項１〜３のいずれか１項に記載の建具であって、
前記面材保持部は、前記複層面材の室外側面を保持する室外側面材押え片と、前記複層面材の室内側面を保持する室内側面材押え片と、前記室外側面材押え片と前記室内側面材押え片との間に設けられ、前記見込み面が設けられた底板と、を有し、前記複層面材の外周縁部が挿入される溝部であり、
前記室外側面材押え片の室内側見付け面に、加熱された場合に膨張する第２の熱膨張性部材を有することを特徴とする建具。
【発明の詳細な説明】
【技術分野】
【０００１】
本発明は、面材を枠体で保持した建具に関する。
【背景技術】
【０００２】
建物の窓等に用いられる建具は、単層ガラスよりも断熱性能の高い複層ガラスが用いられることがある。例えば特許文献１には、室外側に網入りガラスを配置し、室内側に熱線の通過を抑制する金属膜を張った熱線反射ガラスを配置することで、断熱性能に加えて防火性能も高めた複層ガラスを用いた建具が開示されている。
【先行技術文献】
【特許文献】
【０００３】
【特許文献１】特開２０１４−１０５５５４号公報
【発明の概要】
【発明が解決しようとする課題】
【０００４】
ところで、上記のような建具では、断熱性能や防火性能だけでなく、防犯性能に対する要求もある。そこで、例えば特許文献１の構成において、室内側の熱線反射ガラスに代えて、２枚のガラス板の間に防犯用の樹脂膜を挟み込んだ合わせガラスを用いることが考えられる。ところが、このような構成とした場合、火災時には合わせガラスを構成する可燃性の樹脂膜が溶融或いはガス化して室内側へと流出し、延焼を生じる懸念がある。
【０００５】
本発明は、上記従来技術の課題を考慮してなされたものであり、防犯性能と防火性能を両立することができる建具を提供することを目的とする。
【課題を解決するための手段】
【０００６】
本発明に係る建具は、少なくとも第１の面材、及び該第１の面材よりも室内側に配置された第２の面材を有する複層面材と、該複層面材の外周縁部を保持する上枠、下枠及び左右の縦枠を有する枠体と、を備える建具であって、前記複層面材は、前記第１の面材及び前記第２の面材のうち、一方の面材は２枚のガラス板の間に樹脂膜を挟んだ合わせガラスで構成され、他方の面材は樹脂膜を持たない面材で構成されており、前記上枠、前記下枠及び前記左右の縦枠のそれぞれは、前記複層面材の外周縁部を保持する面材保持部と、前記樹脂膜の外周端面に対向した状態で前記面材保持部の見込み面に設けられ、加熱された場合に膨張する第１の熱膨張性部材と、を有することを特徴とする。
【発明の効果】
【０００７】
本発明によれば、建具における防犯性能と防火性能を両立することができる。
【図面の簡単な説明】
【０００８】
【図１】一実施形態に係る建具を室内側から見た姿図である。
【図２】図１に示す建具の縦断面図である。
【図３】図１に示す建具の横断面図である。
【図４】図２に示す下枠の拡大図である。
【図５】図４に示す下枠の平面図である。
【発明を実施するための形態】
【０００９】
以下、本発明に係る建具について好適な実施の形態を挙げ、添付の図面を参照しながら詳細に説明する。
【００１０】
図１〜図３に示すように、建具１０は、建物躯体の開口部に固定される開口枠１２と、開口枠１２に支持される複層面材１４とを備える。本実施形態では、複層面材１４を開口枠１２に嵌め殺した嵌め殺し窓の建具１０を例示する。建具１０は、複層面材１４を框で支持した障子を開口枠１２に対して固定した嵌め殺し窓でもよい。建具１０は、複層面材１４を框で支持した障子を開口枠１２に対して開閉可能に支持した構成、例えば引違い窓等のスライディング窓、上げ下げ窓、開き窓等の回転窓、ドア等でもよい。
【００１１】
開口枠１２は、上枠１２ａと、下枠１２ｂと、左右の縦枠１２ｃ，１２ｄとを四周枠組みすることで矩形の開口部を形成したものである。各枠１２ａ〜１２ｄは、それぞれ金属製の室外側部位１６に樹脂製の押縁１８及び固定片１９を装着した複合構造である。なお、下枠１２ｂでは、押縁１８と固定片１９とが一体成形されている。室外側部位１６は、アルミニウム等の金属の押出形材である。押縁１８及び固定片１９は、塩化ビニル樹脂（ＰＶＣ）等の樹脂の押出形材である。開口枠１２は、各枠１２ａ〜１２ｄの室外側部位１６及び固定片１９がねじや釘等の固定具２０を用いて建物躯体に固定される。
【００１２】
本出願において、見込み方向とは建具１０の室内外方向、つまり室内側から室外側に向かう方向又はその逆方向（図中に矢印Ｙで示す方向）をいう。見込み面とは見込み方向に沿って延在する面をいう。見付け方向とは見込み方向に直交する方向であり、上下方向に長尺な縦枠１２ｃ等の場合はその長手方向に直交する左右方向（図中に矢印Ｘで示す方向）をいい、左右方向に長尺な上枠１２ａ等の場合はその長手方向に直交する上下方向（図中に矢印Ｚで示す方向）をいう。見付け面とは見付け方向に沿った面をいう。枠状部材の内側（内周）とは、例えば開口枠１２の枠内部分をいう。枠状部材の外側（外周）とは、例えば開口枠１２の建物躯体に固定される枠外部分をいう。
【００１３】
各枠１２ａ〜１２ｄは、その枠内側見込み面２２に面材保持部２４を有する。面材保持部２４は、室外側面材押え片２４ａと、室内側面材押え片２４ｂと、底板２４ｃとで形成され、枠内側に開口した溝部である。室外側面材押え片２４ａは、室外側部位１６に形成され、枠内側見込み面２２の室外側端部から枠内側に突出している。室内側面材押え片２４ｂは、押縁１８に形成され、枠内側見込み面２２の室内側端部から枠内側に突出するように室外側部位１６に装着されている。底板２４ｃは、室外側部位１６に形成され、室外側面材押え片２４ａと室内側面材押え片２４ｂとの間に設けられている。枠内側見込み面２２は、底板２４ｃに形成されている。
【００１４】
複層面材１４は、スペーサ２６を用いて室外側面材２８と室内側面材３０とを間隙を設けて対面配置した２層構造である。室外側面材２８は、網入りガラスや耐熱強化ガラス等の防火用ガラスである。室内側面材３０は、２枚のガラス板３０ａ，３０ｂの間に防犯用の樹脂膜３０ｃを挟み込んだ防犯用の合わせガラスである。ガラス板３０ａ，３０ｂは、例えばフロートガラスである。樹脂膜３０ｃは、例えばポリビニルブチラール（ＰＶＢ）等の樹脂で形成された薄いシートであり、容易に突き破れない性質を有する。
【００１５】
複層面材１４は、室外側面材２８の室外側面が室外側面材押え片２４ａによって保持され、室内側面材３０の室内側面が室内側面材押え片２４ｂによって保持されることで開口枠１２に支持されている。下枠１２ｂの枠内側見込み面２２には、複層面材１４の下端面を支持するセッティングブロック３２が設けられている。縦枠１２ｃの枠内側見込み面２２には、複層面材１４の側端面を支持する位置決めブロック３３が設けられている。位置決めブロック３３は、上枠１２ａや縦枠１２ｄの枠内側見込み面２２にも設けられてもよい。
【００１６】
図２及び図３に示すように、各枠１２ａ〜１２ｄの面材保持部２４には、それぞれ熱膨張性部材３４，３５が設けられている。熱膨張性部材３４，３５は、例えば加熱されると発泡して膨張する黒鉛等の加熱発泡材であり、少なくとも複層面材１４の外周縁部の長手方向に亘って延在している。熱膨張性部材３４は、枠内側見込み面２２に貼り付けられている。熱膨張性部材３５は、室外側面材押え片２４ａの内面（室内側見付け面）に貼り付けられている。
【００１７】
図４に示すように、熱膨張性部材３４は、室内側面材３０の樹脂膜３０ｃの外周端面３０ｄに対向する位置に配置されている。具体的には、熱膨張性部材３４は、平面視で室内側面材３０を見込み方向に覆う範囲に設けられ、その室外側端部がスペーサ２６の枠外側に位置し、その室内側端部が室内側面材押え片２４ｂに装着されたタイト材３６の枠外側に位置している。図４では、下枠１２ｂでの熱膨張性部材３４の配置を代表的に示しているが、上枠１２ａ及び縦枠１２ｃ，１２ｄでの熱膨張性部材３４の配置も同様である（図２及び図３参照）。また、図４では、セッティングブロック３２の図示を省略している。
【００１８】
図４及び図５に示すように、下枠１２ｂは、排水孔３８ａ，３８ｂを有する。排水孔３８ａ，３８ｂは、枠内側見込み面２２に開口するように底板２４ｃに貫通形成され、熱膨張性部材３４よりも室外側に形成されている。図５では、下枠１２ｂの左側の端部付近のみを図示しているが、排水孔３８ａ，３８ｂは、下枠１２ｂの右側の端部付近にも形成されている。これにより、下枠１２ｂの面材保持部２４に流入した雨水等は、排水孔３８ａ，３８ｂを通過し、室外側部位１６の室外側見付け面に設置された排水弁４０から室外に排水される。なお、本実施形態の場合、排水孔３８ｂは、排水孔３８ａよりも小形の孔部であり、セッティングブロック３２の取付孔と兼用されている（図２及び図５参照）。
【００１９】
図４に示すように、排水孔３８ａ，３８ｂは、樹脂膜３０ｃの外周端面３０ｄと対向しない位置、つまり熱膨張性部材３４の室外側に並んだ位置に形成されている。これにより、樹脂膜３０ｃの外周端面３０ｄは、排水孔３８ａ，３８ｂから離間した位置となる。このため、当該建具１０が火災を受けた際、排水孔３８ａ，３８ｂから枠内に侵入した火炎や熱が直接的に樹脂膜３０ｃに触れ、樹脂膜３０ｃが早期に燃え出すことを防止できる。また、熱膨張性部材３４が排水孔３８ａ，３８ｂを塞いでしまうことがなく、排水が阻害されることもない。特に、排水孔３８ａ，３８ｂが熱膨張性部材３４よりも室外側にあることで、室外側面材２８を伝って下枠１２ｂ内に浸入した雨水等の室外への排水が熱膨張性部材３４によって邪魔されることなく円滑となる。なお、熱膨張性部材３４は、少なくともその幅中心が排水孔３８ａ，３８ｂよりも室外側に形成されていればよく、排水孔３８ａ，３８ｂを塞いでいなければ多少は排水孔３８ａ，３８ｂに重なっていてもよい。
【００２０】
従って、このような建具１０は、樹脂膜を持たない室外側面材２８と、樹脂膜３０ｃを挟んだ合わせガラスである室内側面材３０とを有する複層面材１４を備える。このため、合わせガラスである室内側面材３０によって高い防犯性能を確保でき、さらに室外側面材２８によって防火性能も確保できる。しかも、建具１０は、火災等の熱を受けた際、加熱されて膨張した熱膨張性部材３４が室内側面材３０の樹脂膜３０ｃの外周端面３０ｄを全周に亘って閉塞する。このため、樹脂膜３０ｃが加熱されて溶融して可燃性の液体を発生し、或いは可燃性のガスを発生した場合であっても、これら可燃性の液体やガスが室内側面材３０の外部に流出することを抑制でき、延焼の発生を未然に防止できる。
【００２１】
しかも下枠１２ｂは、面材保持部２４と室外とを連通させる排水孔３８ａ，３８ｂを有する。このため、万一熱膨張性部材３４だけでは、樹脂膜３０ｃから発生する可燃性の液体やガスを封止しておくことができない場合であっても、面材保持部２４に溜まったこれら液体やガスを排水孔３８ａ，３８ｂから室外へと排出できる。このため、建具１０の室内側に延焼を生じることをより確実に防止できる。特に当該建具１０は、下枠１２ｂにこのような孔部（排水孔３８ａ，３８ｂ）を設けている。このため、ガスだけでなく液体も円滑に排出できるという利点がある。なお、排水孔３８ａ，３８ｂは、排水機能を持たず、単に面材保持部２４と室外とを連通させる孔部でもよい。
【００２２】
さらに当該建具１０は、室外側面材押え片２４ａの内面に熱膨張性部材３５を有するため、熱膨張性部材３４だけでは樹脂膜３０ｃを閉塞できない場合であっても、この熱膨張性部材３５によってより確実に閉塞できる。この際、熱膨張性部材３５は、縦置きされることで排水孔３８ａ，３８ｂを塞がないため、排水性能に影響を及ぼすこともない。
【００２３】
本発明に係る建具は、少なくとも第１の面材、及び該第１の面材よりも室内側に配置された第２の面材を有する複層面材と、該複層面材の外周縁部を保持する上枠、下枠及び左右の縦枠を有する枠体と、を備える建具であって、前記複層面材は、前記第１の面材及び前記第２の面材のうち、一方の面材は２枚のガラス板の間に樹脂膜を挟んだ合わせガラスで構成され、他方の面材は樹脂膜を持たない面材で構成されており、前記上枠、前記下枠及び前記左右の縦枠のそれぞれは、前記複層面材の外周縁部を保持する面材保持部と、前記樹脂膜の外周端面に対向した状態で前記面材保持部の見込み面に設けられ、加熱された場合に膨張する第１の熱膨張性部材と、を有することを特徴とする。このような構成によれば、合わせガラスである第２の面材によって高い防犯性能を確保できる。しかも、当該建具は、火災等の熱を受けた際、加熱されて膨張した第１の熱膨張性部材が第２の面材の樹脂膜の外周端面を全周に亘って閉塞する。このため、樹脂膜が溶融して発生した可燃性の液体やガスが面材の外部に流出することを抑制できる。
【００２４】
前記下枠は、前記面材保持部の前記見込み面における前記樹脂膜の外周端面と対向しない位置に、孔部を有する構成としてもよい。そうすると、第１の熱膨張性部材だけでは、樹脂膜から発生する可燃性の液体やガスを封止しておくことができない場合に、これら液体やガスを孔部から室外へと排出できる。
【００２５】
前記第１の面材は、網入りガラス又は耐熱ガラスで構成され、前記第２の面材は、前記合わせガラスで構成され、前記孔部は、前記第１の熱膨張性部材よりも室外側に配置された構成としてもよい。そうすると、当該建具は、第１の面材による高い防火性能と、第２の面材による高い防犯性能とを両立することができ、さらに第１の熱膨張性部材による一層高い防火性能を確保できる。また孔部は、第１の熱膨張性部材よりも室外側にあることで、下枠内に流入した雨水等が第１の熱膨張性部材によって邪魔されることなく室外へと円滑に排水可能な排水孔としても機能する。
【００２６】
前記面材保持部は、前記複層面材の室外側面を保持する室外側面材押え片と、前記複層面材の室内側面を保持する室内側面材押え片と、前記室外側面材押え片と前記室内側面材押え片との間に設けられ、前記見込み面が設けられた底板と、を有し、前記複層面材の外周縁部が挿入される溝部であり、前記室外側面材押え片の室内側見付け面に、加熱された場合に膨張する第２の熱膨張性部材を有する構成としてもよい。そうすると、第１の熱膨張性部材だけでは樹脂膜からのガス等の流出を抑えきれない場合であっても、第２の熱膨張性部材によってこの流出をより確実に抑制できる。
【００２７】
なお、本発明は、上記した実施形態に限定されるものではなく、本発明の主旨を逸脱しない範囲で自由に変更できることは勿論である。
【００２８】
上記では、複層面材１４を建物躯体に固定される開口枠１２で支持した構成を例示したが、建具１０が複層面材１４を框で支持した障子を備えた構成である場合、面材保持部２４や熱膨張性部材３４，３５は框に適用すればよい。
【００２９】
上記では、室外側面材２８を防火用の網入りガラス等とし、室内側面材３０を防犯用の合わせガラスとした構成を例示した。しかしながら、室外側面材２８を防犯用の合わせガラスとし、室内側面材３０を防火用の網入りガラス等としてもよい。この場合、熱膨張性部材３４の室内側に排水孔３８ａ，３８ｂが形成された配置となる。また、複層面材１４は、２層構造以外、例えば３層以上の構造でもよい。
【符号の説明】
【００３０】
１０  建具、１２  開口枠、１２ａ  上枠、１２ｂ  下枠、１２ｃ，１２ｄ  縦枠、１４  複層面材、２２  枠内側見込み面、２４  面材保持部、２４ａ  室外側面材押え片、２４ｂ  室内側面材押え片、２４ｃ  底板、２８  室外側面材、３０  室内側面材、３０ａ，３０ｂ  ガラス板、３０ｃ  樹脂膜、３０ｄ  外周端面、３４，３５  熱膨張性部材、３８ａ，３８ｂ  排水孔
【図１】
2020117878.tif 000003
【図２】
2020117878.tif 000004
【図３】
2020117878.tif 000005
【図４】
2020117878.tif 000006
【図５】
2020117878.tif 000007